(57)【要約】【課題】記録媒体を再装着することなく、録画コンテンツを所定の位置から再生することができる視聴システムを提供する【解決手段】視聴システム１は、映像受信装置２と携帯機器３とを有する。映像受信装置２は、録画コンテンツの視聴が終了した時点で録画コンテンツが視聴された視聴時間の値を含む視聴情報を更新する録画処理部２０と、更新された視聴情報に基づいて、所定の位置から録画コンテンツを再生する再生管理部２３と、携帯機器３と更新された視聴情報の送受信を行うネットワーク送受信部２４とを有する。携帯機器３は、更新された視聴情報に基づいて、録画コンテンツを所定の位置から再生するとともに、視聴が終了した時点で視聴情報を更新する再生管理部３１と、映像受信装置２と更新された視聴情報の送受信を行うネットワーク送受信部３８とを有する。【選択図】図３
2011217118.tif 000002
【特許請求の範囲】
【請求項１】
放送されたコンテンツを録画及び録画された録画コンテンツを再生する映像受信装置と、記録媒体に書き込まれた前記録画コンテンツを再生する携帯機器とを有する視聴システムであって、
前記映像受信装置は、前記録画コンテンツの最終視聴位置を示す情報を含む視聴情報を生成するとともに、前記録画コンテンツの視聴が終了した時点で前記最終視聴位置を示す情報を含む前記視聴情報を更新する視聴情報生成部と、
前記更新された前記最終視聴位置を示す情報を含む前記視聴情報に基づいて、所定の位置から前記録画コンテンツを再生するように管理する第１の再生管理部と、
前記携帯機器と前記更新された前記最終視聴位置を示す情報を含む前記視聴情報の送受信を行う第１の送受信部と、
を備え、
前記携帯機器は、前記第１の送受信部から送信された前記更新された前記最終視聴位置を示す情報を含む前記視聴情報に基づいて、前記録画コンテンツを所定の位置から再生するように管理するとともに、前記録画コンテンツの視聴が終了した時点で前記最終視聴位置を示す情報を含む前記視聴情報を更新する第２の再生管理部と、
前記映像受信装置と前記更新された前記最終視聴位置を示す情報を含む前記視聴情報の送受信を行う第２の送受信部と、
を備えることを特徴とする視聴システム。
【請求項２】
前記第１及び第２の送受信部は、前記更新された前記最終視聴位置を示す情報を含む前記視聴情報の送受信をメールで行うことを特徴とする請求項１に記載の視聴システム。
【請求項３】
前記最終視聴位置を示す情報は、前記録画コンテンツを視聴した視聴時間情報であることを特徴とする請求項１または請求項２に記載の視聴システム。
【請求項４】
前記録画コンテンツを記録する不揮発性記録媒体と、
前記不揮発性記録媒体に記録された前記録画コンテンツを前記記録媒体に書き込む際に、第１の圧縮フォーマットから第２の圧縮フォーマットに変換する画像変換部と、
を有することを特徴とする請求項１から請求項３のいずれか１項に記載の視聴システム。
【請求項５】
前記視聴情報生成部は、前記更新された前記最終視聴位置を示す情報に基づいて、前記録画コンテンツの視聴部分を再エンコードまたは削除することを特徴とする請求項１から請求項４のいずれか１項に記載の視聴システム。
【発明の詳細な説明】
【技術分野】
【０００１】
本発明は、視聴システムに関し、特に、最終視聴位置を示す情報に基づいて、所定の位置から録画コンテンツを再生する視聴システムに関する。
【背景技術】
【０００２】
近年、映像受信装置は、録画機能を備え、外付けあるいは内蔵されたハードディスクドライブ（以下、HDDという）に放送コンテンツを録画することができる。ユーザは、映像受信装置を用いて録画された録画コンテンツを再生し、好きな時間に録画コンテンツを視聴することができる。
【０００３】
また、近年、映像受信装置により録画された録画コンテンツを持ち運び可能な携帯電話等の携帯機器で視聴することができるようになっている。ユーザは、録画コンテンツをSDカードに書き込み、このSDカードを携帯機器に装着することにより、携帯機器を用いて録画コンテンツを視聴することができる。これにより、ユーザは、携帯機器にてSDカードから録画コンテンツを再生させ、外出先でも録画コンテンツの視聴することができるため、ユーザにとって利便性が向上する。
【０００４】
ところで、同じ録画コンテンツが、SDカード、HDDの双方に記録されると、これらの２つの記録媒体上のその録画コンテンツをユーザが別々に視聴すると、一方の再生が進み、他方の再生が遅れるということが発生する。即ち、一方で再生した続きを、他方で視聴しようとする場合、既に視聴している部分を重複して視聴してしまうという問題がある。
【０００５】
そこで、同じ録画コンテンツが２つの記録媒体に記録されている場合、既に視聴した部分をユーザに視聴させることなく、一方の記録媒体における再生の続きを、他方の記録媒体で行わせることができる再生装置が提案されている（例えば、特許文献１参照）。
【０００６】
ユーザは、この提案の再生装置にSDカードを装着し、録画コンテンツをSDカードにコピーする。その後、ユーザは、SD−ViewerにSDカードを装着し、屋外に持ち出す。SDカードにコピーされた録画コンテンツには、最後に再生された位置を示す情報であるレジューム情報が含まれており、ユーザが外出先で録画コンテンツを視聴すると、レジューム情報が更新される。ユーザは、外出先から帰宅した後、SD−ViewerからSDカードを取り外し、再生装置に再度装着する。これにより、レジューム情報の同期操作が行われ、ユーザは、再生装置でその録画コンテンツを視聴する際に、重複部分を視聴することがない。
【先行技術文献】
【特許文献】
【０００７】
【特許文献１】特表２００６−５２７４５５号公報
【発明の概要】
【発明が解決しようとする課題】
【０００８】
しかしながら、上記提案の再生装置は、レジューム情報の同期操作を行うために、外出先から帰宅した後、ユーザがSDカードを再生装置に再装着する必要があり、ユーザにとって、SDカードのハンドリングが煩雑であるという問題がある。
【０００９】
本発明は、記録媒体を再装着することなく、録画コンテンツを所定の位置から再生することができる視聴システムを提供することを目的とする。
【課題を解決するための手段】
【００１０】
本発明の一態様によれば、放送されたコンテンツを録画及び録画された録画コンテンツを再生する映像受信装置と、記録媒体に書き込まれた前記録画コンテンツを再生する携帯機器とを有する視聴システムであって、前記映像受信装置は、前記録画コンテンツの最終視聴位置を示す情報を含む視聴情報を生成するとともに、前記録画コンテンツの視聴が終了した時点で前記最終視聴位置を示す情報を含む前記視聴情報を更新する視聴情報生成部と、前記更新された前記最終視聴位置を示す情報を含む前記視聴情報に基づいて、所定の位置から前記録画コンテンツを再生するように管理する第１の再生管理部と、前記携帯機器と前記更新された前記最終視聴位置を示す情報を含む前記視聴情報の送受信を行う第１の送受信部とを備え、前記携帯機器は、前記第１の送受信部から送信された前記更新された前記最終視聴位置を示す情報を含む前記視聴情報に基づいて、前記録画コンテンツを所定の位置から再生するように管理するとともに、前記録画コンテンツの視聴が終了した時点で前記最終視聴位置を示す情報を含む前記視聴情報を更新する第２の再生管理部と、前記映像受信装置と前記更新された前記最終視聴位置を示す情報を含む前記視聴情報の送受信を行う第２の送受信部とを備えることを特徴とする視聴システムを提供することができる。
【発明の効果】
【００１１】
本発明の視聴システムによれば、記録媒体を再装着することなく、録画コンテンツを所定の位置から再生することができる。
【図面の簡単な説明】
【００１２】
【図１】第１の実施の形態に係る視聴システムの構成を示す図である。
【図２】視聴システムを用いて録画コンテンツを視聴する例を説明するための説明図である。
【図３】視聴システム１の詳細な構成の例を示すブロック図である。
【図４】視聴情報４２ｂの送信を選択させるための携帯機器３の画面の例を説明するための説明図である。
【図５Ａ】不揮発性記録媒体５に記録される視聴情報４２ａの例を説明するための説明図である。
【図５Ｂ】記録媒体６に記録される視聴情報４２ｂの例を説明するための説明図ある。
【図６】映像受信装置２における録画処理の流れの例を説明するためのフローチャートである。
【図７】映像受信装置２における１回目の視聴処理の流れの例を説明するためのフローチャートである。
【図８】録画コンテンツを持ち出す持ち出し処理の流れの例を説明するためのフローチャートである。
【図９】携帯機器３における視聴処理の流れの例を説明するためのフローチャートである。
【図１０】映像受信装置２における２回目の視聴処理の流れの例を説明するためのフローチャートである。
【図１１】第２の実施の形態に係る視聴システムの詳細な構成の例を示すブロック図である。
【図１２】録画コンテンツの視聴前後の容量について説明するための説明図である。
【図１３】映像受信装置２ａにおける１回目の視聴処理の流れの例を説明するためのフローチャートである。
【図１４】映像受信装置２ａにおける２回目の視聴処理の流れの例を説明するためのフローチャートである。
【発明を実施するための形態】
【００１３】
以下、図面を参照して本発明の実施の形態について詳細に説明する。  
（第１の実施の形態）
まず、図１及び図２を基づき、第1の実施の形態に係る視聴システムについて説明する。  
図１は、第１の実施の形態に係る視聴システムの構成を示す図であり、図２は、視聴システムを用いて録画コンテンツを視聴する例を説明するための説明図である。
【００１４】
図１に示すように、視聴システム１は、映像受信装置２と、携帯機器３とを備えている。
【００１５】
映像受信装置２は、例えばデジタルテレビジョン装置であり、デジタル放送のコンテンツを録画及び再生する機能を備える。
【００１６】
携帯機器３は、例えば携帯電話端末であり、ユーザによって携帯される。ユーザは、映像受信装置２において録画された録画コンテンツを、SDカード等の可搬媒体である後述する記録媒体に書き込み、この記録媒体を携帯機器３に装着することで、携帯機器３において録画コンテンツを視聴することができる。
【００１７】
図２に示すように、ユーザは、映像受信装置２を用いて、あるコンテンツを19:00から19:30までの間、３０分間録画する。ユーザは、19:00から19:30までの録画コンテンツに対して、映像受信装置２において19:00から19:10まで視聴する。その後、ユーザは、外出する等の理由により、映像受信装置２で録画コンテンツの視聴ができない場合があり、携帯機器３に録画コンテンツを持ち出して視聴したい場合がある。また、ユーザは、外出先から帰宅後には、携帯機器３よりも画質がよい映像受信装置２で録画コンテンツを視聴することが望ましい。
【００１８】
そこで、ユーザは、携帯機器３を用いて、録画コンテンツを視聴する場合、この録画コンテンツを記録媒体に書き込んで持ち出しを行う。しかしながら、ユーザは、携帯機器３で録画コンテンツの視聴を開始する場合、19:00からの映像でなく、19:10からの映像を見たい。そこで、ユーザは、持ち出した録画コンテンツと共に19:10まで視聴したということを示す視聴情報を記録媒体に書き込んで持ち出しを行う。
【００１９】
ユーザがこの記録媒体を携帯機器３に装着、即ち、挿入し、録画コンテンツの視聴指示が行われると、携帯機器３は、視聴情報を参照して、19:10から録画コンテンツの再生を行う。また、ユーザが携帯機器３での録画コンテンツの視聴を19:20で終了した場合、映像受信装置２では19:00からの映像でなく、19:20以降の映像を視聴したい。そこで、携帯機器３は、ユーザによる録画コンテンツの視聴が19:20に終了すると、19:20までの映像を視聴したことを示す視聴情報を映像受信装置２に送信する。
【００２０】
映像受信装置２は、この録画コンテンツの視聴指示が行われると、送信された視聴情報に基づいて、19:20からの映像を再生する。これにより、ユーザは、外出先から帰宅後に、19:20からの映像を映像受信装置２で視聴することができる。
【００２１】
次に、これらの機能を実現する視聴システム１の詳細な構成について説明する。
【００２２】
図３は、視聴システム１の詳細な構成の例を示すブロック図である。
【００２３】
図３に示すように、視聴システム１は、上述した映像受信装置２及び携帯機器３に加え、アンテナ４と、不揮発性記録媒体５と、記録媒体６とを有して構成される。
【００２４】
映像受信装置２は、チューナ１１と、復調部１２と、ストリーム処理部１３と、信号処理部１４と、音声処理部１５と、音声出力部１６と、グラフィック処理部１７と、映像処理部１８と、映像表示部１９と、録画処理部２０と、暗号処理部２１と、画像変換部２２と、再生管理部２３と、ネットワーク送受信部２４とを有して構成されている。
【００２５】
また、携帯機器３は、再生管理部３１と、信号処理部３２と、音声処理部３３と、音声出力部３４と、グラフィック処理部３５と、映像処理部３６と、映像表示部３７と、ネットワーク送受信部３８とを有して構成されている。
【００２６】
アンテナ４は、デジタル放送信号を受信し、受信したデジタル放送信号をチューナ１１に供給する。
【００２７】
チューナ１１は、ユーザがリモートコントローラ（以下、リモコンという）を用いて指定したチャンネルに対応するコンテンツを選局し、選局したコンテンツを復調部１２に出力する。
【００２８】
復調部１２は、チューナ１１により選局されたコンテンツを復調し、トランスポートストリームを得る。復調部１２は、このトランスポートストリームをストリーム処理部１３に出力する。
【００２９】
ストリーム処理部１３は、このトランスポートストリームの復号処理を行い、MPEG２圧縮フォーマット形式の映像信号及び音声信号と、電子番組ガイド等を含むＳＩ情報とを抽出する。ストリーム処理部１３は、抽出した映像信号及び音声信号を信号処理部１４に出力する。また、ストリーム処理部１３は、抽出したＳＩ情報を不揮発性記録媒体５あるいは映像受信装置２内の図示しない不揮発性記録媒体に出力する。
【００３０】
信号処理部１４は、映像信号及び音声信号に対して所定のデジタル信号処理を施し、所定のデジタル信号処理を施した映像信号及び音声信号を、それぞれグラフィック処理部１７及び音声処理部１５に出力する。
【００３１】
音声処理部１５は、信号処理部１４からの音声信号に音声処理を施し、音声処理を施した音声信号を音声出力部１６に出力する。
【００３２】
音声出力部１６は、スピーカ等であり、音声処理部１５からの音声処理が施された音声信号に応じた音声を出力する。
【００３３】
グラフィック処理部１７は、信号処理部１４からの映像信号に、図示しないOSD信号生成部からのOSD信号を重畳し、OSD信号を重畳した映像信号を映像処理部１８に出力する。
【００３４】
映像処理部１８は、グラフィック処理部１７からの映像信号に映像処理を施し、映像処理を施した映像信号を映像表示部１９に出力する。
【００３５】
映像表示部１９は、液晶ディスプレイ等であり、映像処理部１８からの映像信号に応じた映像を表示する。
【００３６】
録画処理部２０は、録画指示が行われると、ストリーム処理部１３で抽出された映像信号及び音声信号を暗号処理部２１を介して、不揮発性記録媒体５に録画コンテンツ４１ａとして録画、即ち、記録する。なお、この不揮発性記録媒体５は、USBドライブに接続されている外付けのHDDであるが、映像受信装置２の内部に設けられている内蔵HDD、あるいは、フラッシュメモリであってもよい。
【００３７】
また、録画処理部２０は、録画コンテンツ４１ａが不揮発性記録媒体５に記録されると、録画コンテンツ４１ａに対応する視聴情報４２ａを生成する。この視聴情報４２ａは、暗号処理部２１を介して、不揮発性記録媒体５に記録される。この録画処理部２０は、視聴情報４２ａを生成する視聴情報生成部を構成する。
【００３８】
さらに、録画処理部２０は、携帯機器３にから送信された後述する視聴情報４２ｂがネットワーク送受信部２４を介して入力されると、視聴情報４２ｂに基づいて、視聴情報４２ａを更新する。
【００３９】
暗号処理部２１は、ARIBに準拠して他の再生装置では再生できないように、録画処理部２０からの映像信号及び音声信号に暗号処理を施す。暗号処理部２１は、暗号処理を施した映像信号及び音声信号を不揮発性記録媒体５に出力する。
【００４０】
また、暗号処理部２１は、ユーザによる視聴指示が行われると、不揮発性記録媒体５から読み出された暗号化された映像信号及び音声信号の復号処理を行う。復号された映像信号及び音声信号は、録画処理部２０を介してストリーム処理部１３に出力され、録画コンテンツの再生が行われる。
【００４１】
画像変換部２２は、録画コンテンツ４１ａの持ち出しが指示されると、暗号処理部２１により復号されたMPEG２圧縮フォーマット形式の映像信号及び音声信号を、携帯機器３用のMPEG４圧縮フォーマット形式の映像信号及び音声信号に変換する。MPEG４圧縮フォーマット形式に変換された映像信号及び音声信号は、映像受信装置２の図示しないカードスロットに装着された記録媒体６に録画コンテンツ４１ｂとして記録される。また、記録媒体６には、録画コンテンツ４１ｂに対応する視聴情報４２ｂが記録される。なお、録画コンテンツ４１ｂ及び視聴情報４２ｂは、記録媒体６に記録され、携帯機器３に持ち出されるが、赤外線通信あるいは無線LANにより携帯機器３に送信するようにしてもよい。MPEG４圧縮フォーマット形式に変換された映像信号及び音声信号は、MPEG２圧縮フォーマット形式の映像信号及び音声信号よりデータ量が小さいため、赤外線通信あるいは無線LANにより送信しても問題がないためである。
【００４２】
再生管理部２３は、視聴情報４２ａに基づいて、録画コンテンツ４１ａの再生の管理を行う。
【００４３】
ネットワーク送受信部２４は、ネットワークを介して、携帯機器３のネットワーク送受信部３８への視聴情報４２ａの送信及びネットワーク送受信部３８からの視聴情報４２ｂの受信を行う。本実施の形態において、携帯機器３のネットワーク送受信部３８への視聴情報４２ａの送信及びネットワーク送受信部３８からの視聴情報４２ｂの受信は、メールで行われる。なお、携帯機器３のネットワーク送受信部３８への視聴情報４２ａの送信及びネットワーク送受信部３８からの視聴情報４２ｂの受信は、メールに限定されることなく、例えば、赤外線通信を用いて行ってもよい。この場合、ネットワーク送受信部２４及び３８に代わり、それぞれ赤外線通信部を用いるように構成すればよい。
【００４４】
次に、携帯機器３の構成について説明する。なお、信号処理部３２、音声処理部３３、音声出力部３４、グラフィック処理部３５、映像処理部３６及び映像表示部３７は、それぞれ信号処理部１４、音声処理部１５、音声出力部１６、グラフィック処理部１７、映像処理部１８及び映像表示部１９と同一の構成のため、説明を省略する。
【００４５】
携帯機器３の図示しないカードスロットに記録媒体６が挿入され、録画コンテンツ４１ｂの視聴指示が行われると、再生管理部３１は、記録媒体６の視聴情報４２ｂを参照して、所定の時間から録画コンテンツ４１ｂの再生を開始する。また、再生管理部３１は、ユーザが携帯機器３での視聴を終えると、視聴情報４２ｂを更新し、ネットワーク送受信部３８に出力する。特に、再生管理部３１は、ユーザが録画コンテンツ４１ｂを視聴した時間に応じて、視聴情報４２ｂの視聴時間の値を更新する。
【００４６】
ネットワーク送受信部３８は、ネットワークを介して、更新された視聴情報４２ｂを映像受信装置２にメールで送信する。また、ネットワーク送受信部３８は、上述したように、ネットワークを介して、映像受信装置２のネットワーク送受信部２４からの視聴情報４２ａをメールで受信する。
【００４７】
なお、視聴情報４２ｂの送信は、視聴情報４２ｂが更新されると、バックグラウンドで自動的に映像受信装置２にメールで送信されるようになっているが、視聴情報４２ｂの送信をユーザが選択できるようにしてもよい。
【００４８】
図４は、視聴情報４２ｂの送信を選択させるための携帯機器３の画面の例を説明するための説明図である。
【００４９】
図４に示すように、携帯機器３の映像表示部３７に、「視聴情報を送信しますか？」というメッセージを表示し、更新された視聴情報４２ｂを映像受信装置２に送信するか否かをユーザに選択させる。ユーザは、携帯機器３の操作ボタンを操作することにより、映像受信装置２に更新された視聴情報４２ｂを送信するか否かを選択することができる。
【００５０】
なお、映像受信装置２においても、同様のメッセージを映像表示部１９に表示し、視聴情報４２ａを携帯機器３に送信するか否かをユーザに選択させるようにしてもよい。ユーザは、リモコンを操作することにより、更新された視聴情報４２ａを携帯機器３に送信するか否かを選択することができる。
【００５１】
次に、不揮発性記録媒体５及び記録媒体６のそれぞれに記録される視聴情報４２ａ及び４２ｂについて説明する。
【００５２】
図５Aは、不揮発性記録媒体５に記録される視聴情報４２ａの例を説明するための説明図であり、図５Bは、記録媒体６に記録される視聴情報４２ｂの例を説明するための説明図ある。
【００５３】
図５Aに示すように、不揮発性記録媒体５に記録されている録画コンテンツに対し、視聴情報４２ａが生成される。視聴情報４２ａは、No、録画コンテンツ名、録画時間、視聴時間及び持ち出し先の情報を有している。
【００５４】
録画コンテンツ名には、録画されているコンテンツの名前が格納され、録画時間には、録画されているコンテンツの録画日時が格納され、視聴時間には、録画されているコンテンツが視聴された時間が格納され、持ち出し先には、持ち出し先の機器の情報が格納される。
【００５５】
最終視聴位置である視聴時間の値については、録画終了後に初期値として0:00:00が設定され、ユーザが録画コンテンツを視聴すると視聴時間の値がカウントアップする。なお、視聴時間の値は、ユーザが録画コンテンツを全て視聴した場合、あるいは、ユーザの要望によりユーザがリモコン操作を行った場合には、初期値に変更してもよい。
【００５６】
持ち出し先には、録画コンテンツ４１ａの持ち出し先である携帯機器３の情報、例えば、携帯機器３が保持しているシリアル番号が格納される。ここでは、携帯機器３が保持しているシリアル番号として、“0x12345678”が格納されている。映像受信装置２は、視聴情報４２ａを携帯機器３に送信する場合、持ち出し先の情報に基づいて、持ち出し先の携帯機器３に視聴情報４２ａをする。
【００５７】
また、視聴情報４２ａは、複数、ここでは、２つの持ち出し先の情報を格納することができる。例えば、No３の録画コンテンツは、携帯機器３の他に、“0xfedcba98”というシリアル番号を保持している再生装置に持ち出されている。この“0xfedcba98”というシリアル番号を保持している再生装置は、例えば車載用の再生装置である。なお、複数の持ち出し先が格納されている場合、複数の持ち出し先で視聴時間の値を同期させるようにしてもよい。即ち、携帯機器３において、視聴時間の値が更新され、映像受信装置２に更新された視聴時間の値が送信された場合、映像受信装置２は、車載用の再生装置に更新された視聴時間の値を送信する。これにより、ユーザは、車載用の再生装置においても、既に視聴している部分を重複して視聴することがなくなる。
【００５８】
次に、記録媒体６に記録される視聴情報４２ｂについて説明する。
【００５９】
図５Bに示すように、記録媒体６に記録される視聴情報４２ｂは、視聴情報４２ａの持ち出し先の情報に代わり、持ち出し元の情報を有している。この持ち出し元には、録画コンテンツの持ち出し元である映像受信装置２の情報、例えば、映像受信装置２が保持しているシリアル番号が格納される。ここでは、映像受信装置２が保持しているシリアル番号として、“0x87654321”が格納されている。携帯機器３は、視聴情報４２ｂを映像受信装置２に送信する場合、持ち出し元の情報に基づいて、持ち出し元の映像受信装置２に視聴情報４２ｂを送信することができる。なお、視聴情報４２ａ及び４２ｂの送信は、少なくとも視聴したコンテンツを識別するための識別子と、視聴され更新された視聴時間の値とを送信すればよい。
【００６０】
次に、このように構成される視聴システム１を用いた視聴処理について説明する。なお、この視聴処理は、図２の例を用いて説明する。即ち、図２の例にように、映像受信装置２における録画処理、映像受信装置２における１回目の視聴処理、録画コンテンツを持ち出す持ち出し処理、携帯機器３における視聴処理、及び、映像受信装置２における２回目の視聴処理が行われた場合について説明する。
【００６１】
まず、映像受信装置２における録画処理について説明する。  
図６は、映像受信装置２における録画処理の流れの例を説明するためのフローチャートである。
【００６２】
まず、予め予約された、あるいは、ユーザの録画開始指示をトリガにして発生した録画開始イベントによって、録画が開始される（ステップＳ１）。そして、予め予約された、あるいは、ユーザの録画終了指示をトリガにして発生した録画終了イベントによって、録画が終了される（ステップＳ２）。録画開始指示から録画終了指示までのコンテンツが不揮発性記録媒体５に記録される（ステップＳ３）。最後に、図５Aで示した視聴情報４２ａが作成され（ステップＳ４）、処理が終了する。このような録画直後の場合、録画コンテンツの視聴情報４２ａの視聴時間の値は、0:00:00となる。
【００６３】
次に、映像受信装置２における１回目の視聴処理について説明する。  
図７は、映像受信装置２における１回目の視聴処理の流れの例を説明するためのフローチャートである。
【００６４】
まず、ユーザの視聴開始指示によって、録画コンテンツの視聴が開始される（ステップＳ１１）。そして、ユーザの視聴終了指示によって、録画コンテンツの視聴が終了される（ステップＳ１２）。視聴が終了されると、図５Aで示した視聴情報４２ａが更新され（ステップＳ１３）、処理が終了する。特に、ステップＳ１３の処理では、ユーザが録画コンテンツを視聴した時間に応じて、視聴情報４２ａの視聴時間の値が更新される。
【００６５】
次に、録画コンテンツを持ち出す持ち出し処理について説明する。  
図８は、録画コンテンツを持ち出す持ち出し処理の流れの例を説明するためのフローチャートである。
【００６６】
まず、映像受信装置２に記録媒体６が挿入され（ステップＳ２１）、記録媒体６に録画コンテンツがコピーされる（ステップＳ２２）。次に、記録媒体６に視聴情報４２ｂがコピーされる（ステップＳ２３）。最後に、映像受信装置２から記録媒体６が取り出され（ステップＳ２４）、処理が終了する。
【００６７】
このように、図８の持ち出し処理が行われる前に図７の視聴処理が行われた場合には、ステップＳ１３で示したとおり、図５Aで示された視聴情報４２ａの視聴時間の値の更新が行われる。しかし、図６の録画処理後に、映像受信装置２での視聴が行われないで、図８の持ち出し処理が行われた場合、図５Aで示された視聴情報４２ａの視聴時間の値の更新は行われない。
【００６８】
次に、携帯機器３における視聴処理について説明する。  
図９は、携帯機器３における視聴処理の流れの例を説明するためのフローチャートである。
【００６９】
まず、携帯機器３に記録媒体６が挿入され（ステップＳ３１）、携帯機器３は待機状態でネットワーク送受信部３８を介して通知される映像受信装置２内の視聴情報が受信される（ステップＳ３２）。ユーザにより視聴開始指示が実行された否かを判定する（ステップＳ３３）。視聴開始指示が実行されていない場合、ＮＯとなり、ステップＳ３３の処理を繰り返す。一方、視聴開始指示が実行された場合、ＹＥＳとなり、図５Bで示した視聴情報４２ｂの視聴時間を参照して（ステップＳ３４）、視聴時間で示された時間から、録画コンテンツの視聴が開始される（ステップＳ３５）。ユーザからの視聴終了指示が実行されると、視聴が終了され（ステップＳ３６）、視聴した時間に応じて、図５Bに示す視聴情報４２ｂの視聴時間の値が更新される（ステップＳ３７）。最後に、映像受信装置２に更新された視聴情報４２ａが送信され（ステップＳ３８）、処理が終了する。
【００７０】
最後に、映像受信装置２における２回目の視聴処理について説明する。  
図１０は、映像受信装置２における２回目の視聴処理の流れの例を説明するためのフローチャートである。
【００７１】
まず、映像受信装置２において、携帯機器３から送信される視聴情報４２ｂが受信され（ステップＳ４１）、視聴情報４２ａが更新される（ステップＳ４２）。ユーザにより視聴開始指示が実行された否かを判定する（ステップＳ４３）。視聴開始指示が実行されていない場合、ＮＯとなり、ステップＳ４３の処理を繰り返す。一方、視聴開始指示が実行された場合、ＹＥＳとなり、更新された視聴情報４２ａの視聴時間が参照され（ステップＳ４４）、視聴時間で示された時間から、録画コンテンツの視聴が開始される（ステップＳ４５）。ユーザからの視聴終了指示が実行されると、視聴が終了され（ステップＳ４６）、視聴した時間に応じて、視聴情報４２ａの視聴時間の値が更新される（ステップＳ４７）。最後に、携帯機器３に更新された視聴情報４２ａが送信され（ステップＳ４７）、処理が終了する。
【００７２】
以上のように、映像受信装置２は、携帯機器３から視聴情報４２ｂが送信されると、不揮発性記録媒体５に記録されている視聴情報４２ａの視聴時間の値を更新し、ユーザから視聴指示が行われると、更新された視聴時間の値を参照し、所定の時間、即ち、更新された視聴時間の値から録画コンテンツを再生するようにした。この結果、従来のように、視聴情報が更新される度に、SDカードを対応する装置に装着する必要がなくなり、ユーザにとって視聴時間の選択の煩わしさがなくなり、使い勝手を向上させることができる。
【００７３】
よって、本実施の形態の視聴システムによれば、記録媒体を再装着することなく、録画コンテンツを所定の位置から再生することができる。
【００７４】
（第２の実施の形態）
次に、第２の実施の形態について説明する。  
図１１は、第２の実施の形態に係る視聴システムの詳細な構成の例を示すブロック図である。なお、図１１において、図３と同様の構成については、同一の符号を付して説明を省略する。
【００７５】
本実施の形態の視聴システム１ａは、不揮発性記録媒体５に記録されている録画コンテンツ４１ａの視聴部分を再エンコードまたは削除し、不揮発性記録媒体５の容量を確保できるようにしている。
【００７６】
図１１に示すように、視聴システム１ａは、図３の映像受信装置２に代わり、映像受信装置２ａを用いて構成されている。また、映像受信装置２ａは、図３の録画処理部２０に代わり、録画処理部２０ａを用いて構成されている。
【００７７】
録画処理部２０ａは、映像受信装置２ａで視聴された録画コンテンツ４１ａの視聴部分を再エンコードまたは削除する。また、録画処理部２０ａは、携帯機器３から視聴情報４２ｂが送信されると、携帯機器３で視聴された録画コンテンツ４１ｂに対応する録画コンテンツ４１ａの視聴部分を再エンコードまたは削除する。
【００７８】
図１２は、録画コンテンツの視聴前後の容量について説明するための説明図である。
【００７９】
図１２に示すように、この録画コンテンツは、１０Mbpsのビットレートで３０分間記録されていた場合、2.25GByteの記録容量を必要とする。
【００８０】
ユーザが映像受信装置２ａで最初の１０分間だけ録画コンテンツを視聴した場合、視聴した部分のビットレートを５Mbpsに再エンコードすることによって圧縮した場合、1.875GByteの記録容量に抑えることができる。
【００８１】
また、ユーザが映像受信装置２ａで最初の１０分間だけ録画コンテンツを視聴した場合、視聴した部分を消去すれば、1.5GByteの記録容量に抑えることができる。
【００８２】
このような再エンコード処理ついて、図１３及び図１４を用いて説明する。  
図１３は、映像受信装置２ａにおける１回目の視聴処理の流れの例を説明するためのフローチャートである。なお、図１２にいて、図７と同様の処理については同一の符号を付して説明を省略する。
【００８３】
ステップＳ１３において視聴情報４２ａの更新が行われると、録画コンテンツの視聴部分の再エンコードが行われ（ステップＳ５１）、処理が終了する。
【００８４】
なお、視聴部分を削除する場合、ステップＳ５１の録画コンテンツの視聴部分の再エンコードを行う処理を、録画コンテンツの視聴部分の削除を行う処理に代えればよい。
【００８５】
図１４は、映像受信装置２ａにおける２回目の視聴処理の流れの例を説明するためのフローチャートである。なお、図１３において、図１０と同様の処理については同一の符号を付して説明を省略する。
【００８６】
ステップＳ４２で視聴情報４２ａの更新が行われると、録画コンテンツの視聴部分の再エンコードが行われる（ステップＳ６１）。特に、このステップＳ６１の処理では、携帯機器３で視聴された視聴部分について再エンコードが行われる。そして、ステップＳ４６で視聴情報４２ａが更新されると、録画コンテンツの視聴部分の再エンコードが行われる（ステップＳ６２）。特に、このステップＳ６２の処理では、映像受信装置２ａで視聴された視聴部分について再エンコードが行われる。
【００８７】
なお、視聴部分を削除する場合、ステップＳ６１及びＳ６２の録画コンテンツの視聴部分の再エンコードを行う処理を、それぞれ録画コンテンツの視聴部分の削除を行う処理に代えればよい。
【００８８】
ユーザは、録画機能を備えている映像受信装置２ａを保有している場合、不揮発性記録媒体５の容量の大きさを意識せず、できるだけ多くのコンテンツの録画を行うことがある。そのため、ユーザは、必要以上にコンテンツの録画を行い、不揮発性記録媒体５の最大容量に達してしまい、それ以上コンテンツの録画ができない状態になることが考えられる。
【００８９】
しかしながら、本実施の形態の視聴システム１ａは、視聴情報４２ａの視聴時間に応じて、録画コンテンツ４１ａのうち、既に視聴した視聴部分について再エンコードを行い、視聴部分のビットレートを下げるようにしている。あるいは、視聴システム１ａは、視聴情報４２ａの視聴時間に応じて、録画コンテンツ４１ａのうち、既に視聴した視聴部分を消去するようにしている。この結果、不揮発性記録媒体５に記録される録画コンテンツのデータ量を削減することができる。
【００９０】
よって、本実施の形態の視聴システムによれば、不揮発性記録媒体５の容量を確保することができ、多くのコンテンツを録画することができる。
【００９１】
なお、本明細書における各フローチャート中の各ステップは、その性質に反しない限り、実行順序を変更し、複数同時に実行し、あるいは実行毎に異なった順序で実行してもよい。
【００９２】
本発明は、上述した実施の形態に限定されるものではなく、本発明の要旨を変えない範囲において、種々の変更、改変等が可能である。
【符号の説明】
【００９３】
１，１ａ…視聴システム、２，２ａ…映像受信装置、３…携帯機器、４…アンテナ、５…不揮発性記録媒体、６…記録媒体、１１…チューナ、１２…復調部、１３…ストリーム処理部、１４…信号処理部、１５…音声処理部、１６…音声出力部、１７…グラフィック処理部、１８…映像処理部、１９…映像表示部、２０，２０ａ…録画処理部、２１…暗号処理部、２２…画像変換部、２３再生管理部、２４…ネットワーク送受信部、３１…再生管理部、３２…信号処理部、３３…音声処理部、３４…音声出力部、３５…グラフィック処理部、３６…映像処理部、３７…映像表示部、３８…ネットワーク送受信部、４１ａ，４１ｂ…録画コンテンツ、４２ａ，４２ｂ…視聴情報。
【図１】
2011217118.tif 000003
【図２】
2011217118.tif 000004
【図３】
2011217118.tif 000005
【図４】
2011217118.tif 000006
【図５Ａ】
2011217118.tif 000007
【図５Ｂ】
2011217118.tif 000008
【図６】
2011217118.tif 000009
【図７】
2011217118.tif 000010
【図８】
2011217118.tif 000011
【図９】
2011217118.tif 000012
【図１０】
2011217118.tif 000013
【図１１】
2011217118.tif 000014
【図１２】
2011217118.tif 000015
【図１３】
2011217118.tif 000016
【図１４】
2011217118.tif 000017